(57)【特許請求の範囲】
【請求項１】
光ディスクに情報を記録させる情報記録装置において、
前記光ディスクに対して情報記録時にアンダランが発生した場合、記録中断前の最後に記録した情報に記録再開後の最初に記録した情報が連続性を維持して記録させる連続性維持部と、
前記光ディスクに情報を記録中に前記連続性維持部が動作した回数を記録する計数部と、
前記計数部で計数された回数を表示部に表示する記録終了部と、
前記光ディスクへの本記録開始前に、予め、前記光ディスクへの記録光の電力を低下させてテスト記録を行わせ、テスト記録中にアンダランが発生した場合に、アンダラン発生を表示するテスト部と、
を備えたことを特徴とする情報記録装置。
【請求項２】
前記記録終了部が前記計数部で計数された回数を前記光ディスクに記録させるようにしたことを特徴とする請求項１記載の情報記録装置。
【請求項３】
前記光ディスクへの情報の記録開始時に前記連続性維持部を動作させるか否かを選択する記録開始部を設けたことを特徴とする請求項１または２記載の情報記録装置。
【請求項４】
前記情報記録装置をパソコンと前記光ディスクに情報の記録を行う光ディスクドライブで構成し、前記端末装置に前記記録開始部と前記記録終了部を設け、前記光ディスクドライブに前記連続性維持部と前記計数部を設けるようにしたことを特徴とする請求項１，２または３記載の情報記録装置。
【請求項５】
前記記録開始部が前記連続性維持部を動作させるか否かを表示させ、動作させるが選択された場合は前記連続性維持部を動作するよう指令し、前記記録終了部が記録終了後前記計数部に記録された回数の転送を指令し、転送された回数を表示するようにしたことを特徴とする請求項１，２，３または４記載の情報記録装置。
【請求項６】
前記記録終了部が前記計数部に記録されている回数を前記光ディスクに記録させるか否かを表示させ、記録させるが選択された場合は前記計数部に記録されている回数を前記光ディスクに記録させるようにしたことを特徴とする請求項１乃至５のいずれかに記載の情報記録装置。
【請求項７】
前記テスト部が前記アンダランが発生した場合はテスト記録を中断させるようにしたことを特徴とする請求項１乃至６記載の情報記録装置。
【請求項８】
光ディスクに対して情報記録時にアンダランが発生した場合、記録中断前の最後に記録した情報に記録再開後の最初に記録した情報が連続性を維持して記録させる連続性維持部を備えた情報記録装置に、
前記光ディスクに情報を記録中に前記連続性維持部が動作した回数を記録する計数手段と、
前記計数手段で計数された回数を表示部に表示する記録終了手段と、
前記光ディスクへの本記録開始前に、予め、前記光ディスクへの記録光の電力を低下させテスト記録を行わせ、テスト記録中にアンダランが発生した場合に、アンダラン発生を表示するテスト手段と、
を実行させるプログラムを記録した記録媒体。
【請求項９】
前記記録終了手段が前記計数手段で計数された回数を前記光ディスクに記録させるプログラムを記録した請求項８記載の記録媒体。
【請求項１０】
前記光ディスクへの情報の記録開始時に前記連続性維持部を動作させるか否かを選択する記録開始手段を実行させるプログラムを記録した請求項８または９記載の記録媒体。
【請求項１１】
前記記録開始手段が前記連続性維持部を動作させるか否かを表示させ、動作させるが選択された場合は前記連続性維持部を動作するよう指令し、前記記録終了手段が記録終了後前記計数手段に記録された回数の転送を指令し、転送された回数を表示するプログラムを記録した請求項８，９または１０記載の記録媒体。
【請求項１２】
前記記録終了手段が前記計数手段に記録されている回数を前記光ディスクに記録させるか否かを表示させ、記録させるが選択された場合は前記計数手段に記録されている回数を前記光ディスクに記録させるプログラムを記録した請求項８，９，１０または１１記載の記録媒体。
【請求項１３】
前記テスト手段が前記アンダランが発生した場合はテスト記録を中断させるプログラムを記録した請求項８乃至１２記載の記録媒体。
【請求項１４】
光ディスクに対して情報記録時にアンダランが発生した場合、記録中断前の最後に記録した情報に記録再開後の最初に記録した情報が連続性を維持して記録させる連続性維持部を備えた光ディスクドライブを制御する上位装置に対する制御プログラムを記録した記録媒体であって、
前記光ディスクドライブが前記光ディスクに情報を記録中に前記連続性維持部が動作した回数を記録させ、
前記記録された回数を表示部に表示させ、
前記光ディスクへの本記録開始前に、予め、前記光ディスクへの記録光の電力を低下させテスト記録を行わせ、テスト記録中にアンダランが発生した場合に、アンダラン発生を表示するプログラムを記録した記録媒体。
【請求項１５】
前記連続性維持部が動作した回数を前記光ディスクに記録させるプログラムを記録した請求項１４記載の記録媒体。
【請求項１６】
前記光ディスクへの情報の記録開始時に前記連続性維持部を動作させるか否かを選択させるプログラムを記録した請求項１４または１５記載の記録媒体。
【請求項１７】
前記連続性維持部を動作させるか否かを表示させ、動作させるが選択された場合は前記連続性維持部を動作するよう指令し、前記光ディスクに対する情報の記録終了後に記録された回数を表示するプログラムを記録した請求項１４，１５または１６記載の記録媒体。
【請求項１８】
前記連続性維持部が動作した回数を前記光ディスクに記録させるか否かを表示させ、記録させるが選択された場合は前記記録されている回数を前記光ディスクに記録させるプログラムを記録した請求項１４，１５，１６または１７記載の記録媒体。
【請求項１９】
前記アンダランが発生した場合はテスト記録を中断させるプログラムを記録した請求項１４乃至１８記載の記録媒体。
【発明の詳細な説明】
【０００１】
【発明の属する技術分野】
本発明は光ディスクに情報を記録させる情報記録装置及び記録媒体に関する。
【０００２】
【従来の技術】
今日では追記型や書換可能型の光ディスクが広く使用されている。
このような光ディスクに情報を記録時に、光ディスクへの記録速度が情報の転送速度より速い場合は、光ディスクへ記録する情報を一時ストアするバッファに記録する情報が無くなり、いわゆるバッファアンダランが発生し、光ディスクへの情報の記録が中断され、バッファに所定量の情報が転送されると光ディスクへの記録動作が再開される。
【０００３】
光ディスクに記録されている情報を読出す時、バッファアンダランが発生して記録が中断しても誤りなく情報を再生するには、中断前に最後に光ディスクに記録された情報に続いて記録再開後の最初の情報を記録するようにしなければならない。
【０００４】
このような中断前の情報と再開後の情報を連続性を保って記録させる方法としては、例えば特開平１０−４９９０号公報、特開２０００−４０３０２号公報に開示された方法がある。
【０００５】
【発明が解決しようとする課題】
しかし、前記公報に開示されている連続性維持手段を適用しても再生時に時には誤りが発生することがあり、１００％連続性を維持することはできなかった。そこで光ディスクに記録された情報の品質を知るために、光ディスクに記録された情報が前記連続維持手段が動作して情報が記録されたものであるか否かを知る必要がある。
【０００６】
本発明は光ディスクへの情報の記録中断時に連続性維持手段が動作して記録されたものであるかを判断できるようにした情報記録装置及び記録媒体を提供することを課題とする。
【０００７】
【課題を解決するための手段】
請求項１の発明においては、光ディスクに情報を記録させる情報記録装置において、
前記光ディスクに対して情報記録時にアンダランが発生した場合、記録中断前の最後に記録した情報に記録再開後の最初に記録した情報が連続性を維持して記録させる連続性維持部と、
前記光ディスクに情報を記録中に前記連続性維持部が動作した回数を記録する計数部と、
前記計数部で計数された回数を表示部に表示する記録終了部と、
前記光ディスクへの本記録開始前に、予め、前記光ディスクへの記録光の電力を低下させてテスト記録を行わせ、テスト記録中にアンダランが発生した場合に、アンダラン発生を表示するテスト部と、を備える。
【０００８】
請求項２の発明においては、前記記録終了部が前記計数部で計数された回数を前記光ディスクに記録させる。
請求項３の発明においては、前記光ディスクへの情報の記録開始時に前記連続性維持部を動作させるか否かを選択する記録開始部を設ける。
【０００９】
請求項４の発明においては、前記情報記録装置をパソコンと前記光ディスクに情報の記録を行う光ディスクドライブで構成し、前記端末装置に前記記録開始部と前記記録終了部を設け、前記光ディスクドライブに前記連続性維持部と前記計数部を設ける。
【００１０】
請求項５の発明においては、前記記録開始部が前記連続性維持部を動作させるか否かを表示させ、動作させるが選択された場合は前記連続性維持部を動作するよう指令し、前記記録終了部が記録終了後前記計数部に記録された回数の転送を指令し、転送された回数を表示する。
【００１１】
請求項６の発明においては、前記記録終了部が前記計数部に記録されている回数を前記光ディスクに記録させるか否かを表示させ、記録させるが選択された場合は前記計数部に記録されている回数を前記光ディスクに記録させる。
【００１２】
請求項７の発明においては、前記テスト部が前記アンダランが発生した場合はテスト記録を中断させる。
【００１３】
請求項８の発明においては、光ディスクに対して情報記録時にアンダランが発生した場合、記録中断前の最後に記録した情報に記録再開後の最初に記録した情報が連続性を維持して記録させる連続性維持部を備えた情報記録装置に、
前記光ディスクに情報を記録中に前記連続性維持部が動作した回数を記録する計数手段と、
前記計数手段で計数された回数を表示部に表示する記録終了手段と、
前記光ディスクへの本記録開始前に、予め、前記光ディスクへの記録光の電力を低下させテスト記録を行わせ、テスト記録中にアンダランが発生した場合に、アンダラン発生を表示するテスト手段と、
を実行させるプログラムを記録する。
【００１４】
請求項９の発明においては、前記記録終了手段が前記計数手段で計数された回数を前記光ディスクに記録させるプログラムを記録する。
請求項１０の発明においては、前記光ディスクへの情報の記録開始時に前記連続性維持部を動作させるか否かを選択する記録開始手段を実行させるプログラムを記録する。
【００１５】
請求項１１の発明においては、前記記録開始手段が前記連続性維持部を動作させるか否かを表示させ、動作させるが選択された場合は前記連続性維持部を動作するよう指令し、前記記録終了手段が記録終了後前記計数手段に記録された回数の転送を指令し、転送された回数を表示するプログラムを記録する。
【００１６】
請求項１２の発明においては、前記記録終了手段が前記計数手段に記録されている回数を前記光ディスクに記録させるか否かを表示させ、記録させるが選択された場合は前記計数手段に記録されている回数を前記光ディスクに記録させるプログラムを記録する。
【００１７】
請求項１３の発明においては、前記テスト手段が前記アンダランが発生した場合はテスト記録を中断させるプログラムを記録する。
【００１８】
請求項１４の発明においては、光ディスクに対して情報記録時にアンダランが発生した場合、記録中断前の最後に記録した情報に記録再開後の最初に記録した情報が連続性を維持して記録させる連続性維持部を備えた光ディスクドライブを制御する上位装置に対する制御プログラムを記録した記録媒体であって、
前記光ディスクドライブが前記光ディスクに情報を記録中に前記連続性維持部が動作した回数を記録させ、
前記記録された回数を表示部に表示させ、
前記光ディスクへの本記録開始前に、予め、前記光ディスクへの記録光の電力を低下させテスト記録を行わせ、テスト記録中にアンダランが発生した場合に、アンダラン発生を表示するプログラムを記録する。
請求項１５の発明においては、前記連続性維持部が動作した回数を前記光ディスクに記録させるプログラムを記録する。
請求項１６の発明においては、前記光ディスクへの情報の記録開始時に前記連続性維持部を動作させるか否かを選択させるプログラムを記録する。
請求項１７の発明においては、前記連続性維持部を動作させるか否かを表示させ、動作させるが選択された場合は前記連続性維持部を動作するよう指令し、前記光ディスクに対する情報の記録終了後に記録された回数を表示するプログラムを記録する。
請求項１８の発明においては、前記連続性維持部が動作した回数を前記光ディスクに記録させるか否かを表示させ、記録させるが選択された場合は前記記録されている回数を前記光ディスクに記録させるプログラムを記録する。
請求項１９の発明においては、前記アンダランが発生した場合はテスト記録を中断させるプログラムを記録する。
【００１９】
【発明の実施の形態】
本発明の実施の形態を図１〜図３を参照して説明する。図１は本発明の第１の実施例の構成図、図２および図３は第１の実施例の動作フローチャートである。図１において、Ａはパソコン、Ｂは光ディスクへの情報の記録再生を行う光ディスクドライブ、Ｃは情報を記録する光ディスクで、本発明に係る情報記録装置はパソコンＡと光ディスクドライブＢとで構成される。
【００２０】
パソコンＡにおいて、１は記録開始部、２は記録終了部、３はデータ記録部、４は表示部、５は入力部、６は制御部、７および８はインタフェース（Ｉ／Ｏ）、９は処理を実行するプロセッサ（ＣＰＵ）である。
【００２１】
また光ディスクドライブＢにおいて、１１はバッファ部、１２は記録部、１３は連続性維持部、１４は計数部、１５は制御部、１６はインタフェース（Ｉ／Ｏ）、１７はプロセッサ（ＣＰＵ）である。
【００２２】
データ記録部３には光ディスクＣに記録する情報が記録されている。
記録部１２は光ディスクＣに情報を記録する。
バッファ部１１はデータ記録部３より読出された情報が転送され、記録部１２によって光ディスクＣに記録される前に一時記録する。
【００２３】
連続性維持部１３は従来例で説明した例えば特開平１０−４９９９０号公報、特開２０００−４０３０２号公報等で開示されている方法により中断時の連続性を維持する。
その他については次の動作説明時に説明する。
【００２４】
つぎに図２および図３を参照して第１の実施例の動作を説明する。
ステップＳ１では、記録開始部１は、例えば図４に示す表示を表示部４に表示させ、連続性維持部１３を使用するか否かを選択させる。
ステップＳ２では、操作者が入力部５よりマーカをＮＯに移動させてクリックしてＮＯを選択すると通常の光ディスクＣへ情報の記録が開始される。
【００２５】
ステップＳ２でＹＥＳを選択するとステップＳ３に移り、記録開始部１は、Ｉ／Ｏ８を介して光ディスクドライブＢの制御部１５に連続性維持部１３の動作を指令する。
制御部１５は以後の動作においてバッファ部１１の記録された情報にアンダランが発生した場合は連続性維持部１３を動作させて光ディスクＣへの記録を再開する。
【００２６】
ステップＳ４では、操作者が入力部５より記録開始を入力すると光ディスクＣへの記録動作が開始される。
ステップＳ５では、制御部６はデータ記録部３に記録されている情報を読出してＩ／Ｏ８を介して送出し、また制御部１１はＩ／Ｏ１６を介して転送された情報をバッファ部１１に一時記録する。
バッファ部１１に一時記録された情報は記録部１２が順次読出して光ディスクＣに記録する。
【００２７】
ステップＳ６では、制御部１５は、バッファ部１１の読出情報にアンダランが発生したか否かを監視し、アンダランの発生がない場合はステップＳ９に移る。
アンダランが発生した場合はステップＳ７に移り、連続性維持部１３が動作を開始し、中断時の情報記録の連続性を維持させる。
【００２８】
ステップＳ８では、計数部１４は、連続性維持部１３が動作する毎に加算して動作回数を計数する。
ステップＳ９では、制御部６は、データ記録部３に記録されている全ての記録情報が光ディスクＣに記録されたか否かを判定し、判定がＮＯの場合はステップＳ５に移ってステップＳ５〜Ｓ９が繰返される。
【００２９】
ステップＳ９の判定がＹＥＳの場合はステップＳ１０に移り、記録終了部２は、Ｉ／Ｏ８を介して計数部１４に指令し、計数部１４が計数した動作回数の転送を要求する。
この転送要求に対して計数部１４は計数した動作回数を返送する。
【００３０】
ステップＳ１２では、記録終了部２は、転送された動作回数を、例えば図５に示されるように、表示部４に表示する。
ステップＳ１２では、記録終了部２は、例えば図５に示すように、動作回数（リカバリ回数）を光ディスクＣに記録するか否かを表示させ、ステップＳ１４に移って操作者に選択させる。
【００３１】
ステップＳ１４で操作者が入力部５よりＮＯ（記録しない）を選択すると処理は終了する。
またＹＥＳ（記録する）を選択するとステップＳ１５に移り、記録終了部２は制御部１５に対して動作回数の記録を指令する。
【００３２】
ステップＳ１６では、制御部１５は、動作回数の記録指令が転送されると計数部１４に計数されている動作回数を読出して記録部１２に転送し、記録部１２は光ディスクＣに転送された動作回数を記録して処理を終了する。
【００３３】
このように連続性維持部１３が動作した回数を表示すると共に光ディスクＣにも記録するようにしたので、光ディスクに記録した操作者も、また光ディスクより情報を再生する操作者も記録された情報の品質を知ることができる。
【００３４】
つぎに、図６〜図８を参照して、本発明の第２の実施例を説明する。図６は第２の実施例の構成図、図７および図８は第２の実施例の動作フローチャートである。
図６で示す第２の実施例の構成は、図１で説明した第１の実施例の構成のパソコンＡにテスト記録部１０が追加され、その他の構成には変更はない。
【００３５】
つぎに、図７および図８を参照して、第２の実施例の動作を説明する。
図７で示す最初のステップＳ２０は第１の実施例で説明した図２のステップＳ３に続いて実行される。
ステップＳ２０では、テスト記録部１０は、例えば図９に示されるように、テスト記録を行わせるか否かを表示部４に表示させ、操作者に選択させる。
【００３６】
ステップＳ２１で操作者が入力部５より入力してＮＯを選択すると第１の実施例で説明した図２のステップＳ４に移り、ステップＳ４以後の動作が行われる。
ステップＳ２１で操作者がＹＥＳを選択するとステップＳ２２に移り、テスト記録部１０は、光ディスクドライブＢの記録部１２に対してテスト記録を指令する。
【００３７】
記録部１２がテスト記録指令を受信すると以後の光ディスクＣに対する記録時の照射電力を例えば再生時の電力と同じ低電力で記録動作を行う。したがって光ディスクＣには情報は記録されない。
【００３８】
ステップＳ２３で操作者が入力部５より記録開始を入力するとステップＳ２４に移り、第１の実施例の図２のステップＳ５で説明したと同様な処理が実行され光ディスクＣにテスト記録が行われる。
【００３９】
ステップＳ２５ではアンダランが発生したか否かを制御部６が監視し、アンダランが発生しない場合はステップＳ２６に移ってテスト記録が終了したか否かを判定し、テスト記録が終了しない場合はステップＳ２４に移ってステップＳ２４〜Ｓ２６が繰返される。
【００４０】
ステップＳ２６でテスト記録が終了したと判定された場合はステップＳ３２に移る。
またステップＳ２５でアンダランが発生した場合はステップＳ２７に移り、制御部１５はテスト記録を中断させ、アンダラン発生をテスト記録部１０に送出する。
【００４１】
ステップＳ２９では、テスト記録部１０は、アンダラン発生が転送されると、例えば図１０に示すように、アンダラン発生を表示部４に表示させ、ステップＳ３０に移って本記録を行わせるか否かを選択させる。
ステップＳ３１で操作者が入力部５よりＮＯを選択入力すると処理は終了し、ＹＥＳを選択入力すると第１の実施例の図２のＳ４に移り、ステップＳ４以後の動作が行われる。
【００４２】
またステップＳ２６でテスト記録が終了したと判定されるとステップＳ３２に移り、テスト記録部１０は、例えば図１１に示すようにアンダランの発生がないことを表示部４に表示し、ステップＳ３３に移って本記録を行うか否かを選択させる。
【００４３】
ステップＳ３４で操作者がＮＯを選択入力すると処理は終了し、ＹＥＳを選択入力すると図２のＳ４へ移ってステップＳ４以後の動作が行われる。
このようにテスト記録を行わせることにより、アンダランが発生するか否かを本記録の前に知ることができる。
【００４４】
【発明の効果】
以上説明したように本発明によれば、光ディスクへの情報の記録時にアンダランが発生して連続性を維持して動作を再開した回数を計数し、記録終了時に計数した回数を表示させるようにしたので、光ディスクに記録された情報の再生時の品質を知ることができる。
【図面の簡単な説明】
【図１】本発明の第１の実施例の構成図である。
【図２】第１の実施例の動作フローチャートである。
【図３】第１の実施例の動作フローチャートである。
【図４】表示の一例を示す図である。
【図５】表示の一例を示す図である。
【図６】本発明の第２の実施例の構成図である。
【図７】第２の実施例の動作フローチャートである。
【図８】第２の実施例の動作フローチャートである。
【図９】表示の一例を示す図である。
【図１０】表示の一例を示す図である。
【図１１】表示の一例を示す図である。
【符号の説明】
Ａ            パソコン
Ｂ            光ディスクドライブ
Ｃ            光ディスク
１            記録開始部
２            記録終了部
３            データ記録部
４            表示部
５            入力部
６，１５      制御部
７，８，１６  インタフェース（Ｉ／Ｏ）
９，１７      プロセッサ（ＣＰＵ）
１０          テスト記録部
１１          バッファ部
１２          記録部
１３          連続性維持部
１４          計数部
【図１】
0004047526.tif 000002
【図２】
0004047526.tif 000003
【図３】
0004047526.tif 000004
【図４】
0004047526.tif 000005
【図５】
0004047526.tif 000006
【図６】
0004047526.tif 000007
【図７】
0004047526.tif 000008
【図８】
0004047526.tif 000009
【図９】
0004047526.tif 000010
【図１０】
0004047526.tif 000011
【図１１】
0004047526.tif 000012